(57)【特許請求の範囲】
【請求項１】
複数の被締結部材どうしを締結したボルト・ナットのナットに締め付ける方向の回転力を与えるナット自動締付け装置であって、前記ナットに係合する係合部を有する回転体と、前記回転体に前記ナットを締め付ける方向の回転力を付与する回転力付与手段と、前記回転体が前記回転力付与手段によって回転させられる方向と逆方向の回転を規制する逆回転規制手段とを具備することを特徴とするナット自動締付け装置。
【請求項２】
請求項１に記載したナット自動締付け装置において、逆回転規制手段は、回転体に形成されたつめ車と前記つめ車のつめに噛み合うストッパと、前記ストッパを前記つめ車に向かって付勢するストッパ付勢部材とによって構成されることを特徴とするナット自動締付け装置。
【請求項３】
請求項１又は２に記載したナット自動締付け装置において、回転力付与手段は、一端が回転体に取り付けられ、他端が被締結部材に取り付けられるバネによって構成されることを特徴とするナット自動締付け装置。
【請求項４】
請求項３に記載したナット自動締付け装置において、バネの他端は被締結部材に固定されるバネ取付け部材に取り付けられることを特徴とするナット自動締付け装置。
【請求項５】
請求項４に記載したナット自動締付け装置において、ストッパはバネ取付部材に取り付けられていることを特徴とするナット自動締付け装置。
【請求項６】
請求項５に記載したナット自動締付け装置において、ストッパ付勢部材はバネ取付部材に取り付けられていることを特徴とするナット自動締付け装置。
【発明の詳細な説明】
【０００１】
【発明の属する技術分野】
本発明はナット自動締付け装置に係り、詳しくは、複数の被締結部材どうしを締結したボルト・ナットのナットに常時締付け力を与えるナット自動締付け装置に関するものである。
【０００２】
【従来の技術】
例えば、木造建築においては、柱と梁とを互いに固定したり、小梁と軒桁を互いに固定するのに、ボルト・ナットが用いられることが多いが、木材は経時的な乾燥に伴って収縮するので、建築後数か月から数年経ってナットの締付けに緩みが生じてしまうことがある。
この場合、当該ナットが壁の内側に隠れてしまっていると、ナットを締め直そうとしても事実上不可能なことが多い。
【０００３】
そこで、一旦締め付けた状態のナットに、常時、バネの弾性力によって締付け方向への回転力を与えるようにしたナット自動締付け装置が提案されている。
この種の装置としては、実用新案登録公報第２５０８４５３号に記載されたものや、本件出願人の出願に係る特願平８−２８７６１５号に記載されたもの等がある。
【０００４】
【発明が解決しようとする課題】
しかしながら、上記従来のナット自動締付け装置では、バネが伸びきってしまう等して締付け方向の回転力がなくなった状態において、ナットが弛む方向へ回転してしまうおそれも全くないとはいえない。
【０００５】
本発明は上記した従来の問題点に鑑みて為されたものであり、締付け方向の回転力がなくなった場合でも、ナットが弛む方向へ回転するのを確実に防止することができるナット自動締付け装置を提供することを目的とする。
【０００６】
【課題を解決するための手段】
この目的を達成するために、本発明は、複数の被締結部材どうしを締結したボルト・ナットのナットに締め付ける方向の回転力を与えるナット自動締付け装置であって、前記ナットに係合する係合部を有する回転体と、前記回転体に前記ナットを締め付ける方向の回転力を付与する回転力付与手段と、前記回転体が前記回転力付与手段によって回転させられる方向と逆方向の回転を規制する逆回転規制手段とを具備するものである。
【０００７】
請求項２の発明は、請求項１に記載したナット自動締付け装置において、逆回転規制手段は、回転体に形成されたつめ車と前記つめ車のつめに噛み合うストッパと、前記ストッパを前記つめ車に向かって付勢するストッパ付勢部材とによって構成されることを特徴とするナット自動締付け装置。
【０００８】
請求項３の発明は、請求項１又は２に記載したナット自動締付け装置において、回転力付与手段は、一端が回転体に取り付けられ、他端が被締結部材に取り付けられるバネによって構成されることを特徴とすものである。
【０００９】
請求項４の発明は、請求項３に記載したナット自動締付け装置において、バネの他端は被締結部材に固定されるバネ取付け部材に取り付けられることを特徴とするものである。
【００１０】
請求項５の発明は、請求項４に記載したナット自動締付け装置において、ストッパはバネ取付部材に取り付けられていることを特徴とするものである。
【００１１】
請求項６の発明は、請求項５に記載したナット自動締付け装置において、ストッパ付勢部材はバネ取付部材に取り付けられていることを特徴とするものである。
【００１２】
【発明の実施の形態】
以下に、本発明の実施の形態に係るナット自動締め付け装置を図面に従って説明する。
図１から図７は実施の形態に係るナット自動締付け装置１を示すものであり、このナット自動締付け装置１は、建築等で用いられるボルト・ナットのナットに常時締付け力を付与するのに適したものである。
【００１３】
符号３は回転体を示し、この回転体３は小径部５を挟んで上端にはつめ車７が、下端にはフランジ９が一体に形成され構成されている。回転体３には、その下面に開口する係合部としての係合穴１１が形成されている。この係合穴１１の内周面はナットＮが係合するように凹凸部が形成されている。さらに回転体３には、その上面側に開口する六角穴１３が形成され、この六角穴１３と係合穴１１は連通穴１５を介して連通している。連通穴１５、係合穴１１及び六角穴１３は同心となるように設けられている。
【００１４】
回転体３の小径部５には、回転力付与手段としての渦巻きバネ１７の一端が固定され、この渦巻きバネ１７は小径部１５に巻き付けられている。渦巻きバネ１７の他端はバネ取付け部材としての取付け釘１９に連結されている。取付け釘１９の先端には、ストッパ２１が回転自在に備えられている。ストッパ２１には、ストッパ付勢部材としてのねじりバネ２３の一端が取り付けられ、このねじりバネ２３の他端は取付け釘１９に取り付けられている。
逆回転規制手段は、つめ車７、ストッパ２１およびねじりバネ２３とによって構成されている。
【００１５】
ナット自動締め付け装置１を、木造建築躯体における２つの構造材の連結部を締付け固定するボルト・ナットのボルトに装着して、そのナットに常時締付け力を付与するようにした使用例について説明する。
【００１６】
同図において、２４と２５は被連結部材としての構造材（例えば、梁）を示し、これら構造材２４と２５は、それぞれの欠取りどうしが互いに組まれ、この組まれた位置を貫通した孔２７に締結用のボルトＢが通され且つこのボルトＢの先端部に座金Ｓがはめられ、そしてナットＮが取り付けられることで互いに連結される。
【００１７】
ナット自動締付け装置１を取り付けるには、回転体３をナットＮに被せて、係合穴１１にナットＮを入れて係合させ、ボルトＢのナットＮから突出する部分は連通穴１５に収容される。そして、取付け釘１９を構造材２４に打ち込む。この取付け釘１９を打ち込む位置は、ストッパ２１を回転体３のつめ車７のつめ７ａに噛み合わせることができるように調節する。
【００１８】
取付け釘１９に取り付けられたストッパ２１は、ねじりバネ２３の弾性力によって、つめ車７に圧接している。次いで、図２、図４に示すように、六角レンチＷを回転体３の六角穴１３へ嵌める。そしてストッパ２１を摘み、つめ車７からねじりバネ２３の弾性力に抗して離間させ、この状態で六角レンチＷを回し、回転体３を反時計回りの方向へ回転させる。これによって渦巻きバネ１７を小径部５に巻き付け、渦巻きバネ１７を縮め、この状態でストッパ２１をつめ車７のつめ７ａに噛み合わせて、ナット自動締付け装置１のセットを完了する。
【００１９】
構造材２４、２５の乾燥が進み、これら構造材２４、２５が縮んで、ナットＮの座金Ｓに対する圧着力に弛みが生じた場合には、前述のように渦巻きバネ１７は径が縮められた状態となっており、その径を拡げようとする弾発力が蓄えられるので、回転体３と共にナットＮが締まる方向へ回転させられ、弛みが解消される。
即ち、渦巻きバネ１７により回転体３を回転させる力の方が、ねじりバネ２３によりストッパ２１をつめ車７に圧接させ回転を阻止する力より大きいので、ナットＮの座金Ｓに対する圧着力に弛みが生じると、図５に示すように回転体３が回転し、この際、つめ７ａの傾斜面とストッパ２１の凹面とが摺接して、ストッパ２１が反時計回りの方向へ回動させられ、つめ７ａを乗り越える。
このようにして、ナットＮに対する締付けが常時自動的に行われる。
【００２０】
渦巻きバネ１７の弾性力がなくなり、何らかの原因で回転体３にナットＮが弛む方向（図において反時計回りの方向）の力が加わっても、図６において仮想線で示すように、ストッパ２１の先端がつめ７ａの反時計回りの方向の基端部に食い込むように当接して、回転体３が反時計回りの方向へ回転するのを規制する。従って、渦巻きバネ１７の弾性力がなくなった場合でも、ナットＮが弛む方向へ回転するのを確実に防止することができる。
【００２１】
以上、本発明の実施の形態について詳述してきたが、具体的な構成はこの実施の形態に限られるものではなく、本発明の要旨を逸脱しない範囲における設計の変更などがあっても本発明に含まれる。
例えば、上記実施の形態では、つめ車７を回転体３の上端に設けるようにしたが、つめ車を回転体の下端、即ちフランジ９の位置に設けるようにしてもよい。また、渦巻きバネ１７を使用する他、トーションバネ等を用いてもよい。
【００２２】
渦巻きバネ１７の他端を予め取付け釘に固定する構成とする他、取付け釘１９を構造材２４に固定した後に渦巻きバネ１７の他端を取付けてもよい。
さらに上記実施の形態では、取付け釘１９に渦巻きバネ１７の他端を取り付け、しかもストッパ２１を備えているが、渦巻きバネ１７を取付ける部材とストッパ２１を取り付ける部材を別々にする構成とすることも可能である。
また、渦巻きバネ１７の他端を構造材２４に直接固定する構成としてもよい。
【００２３】
【発明の効果】
以上のように、本発明ナット自動締め付け装置にでは、回転体がナットの弛む方向へ回転するのを防止できるようになる。
【図面の簡単な説明】
【図１】本発明の実施の形態にかかるナット自動締付け装置の斜視図である。
【図２】実施の形態にかかるナット自動締付け装置を目的のボルトに取り付けた状態を示す斜視図である。
【図３】実施の形態にかかるナット自動締付け装置の断面図である。
【図４】実施の形態にかかるナット自動締付け装置の平面図である。
【図５】実施の形態にかかるナット自動締付け装置の動作を説明するための図である。
【図６】実施の形態にかかるナット自動締付け装置の動作を説明するための図である。
【符号の説明】
１          ナット自動締付け装置
３          回転体
５          小径部
７          つめ車
７ａ        つめ
１１          係合穴
１７          渦巻きバネ
１９          取付け釘
２１          ストッパ
２３          ねじりバネ
Ｂ            ボルト
Ｎ            ナット
２４、２５    構造材
【図１】
0004150443.tif 000002
【図２】
0004150443.tif 000003
【図３】
0004150443.tif 000004
【図４】
0004150443.tif 000005
【図５】
0004150443.tif 000006
【図６】
0004150443.tif 000007